(57)【要約】  少なくとも１つの案内及び／又は保持手段（７）を有する、プラスチック製品（１）を取り外すための装置であって、少なくとも１つの別の製造ステップのために成形後にプラスチック製品（１）を引き取り若しくは続いて解放するために、プラスチック成形プロセスにおいて、案内及び／又は保持手段（７）が、プラスチック製品（１）に差し込まれ及びプラスチック製品（１）から再び抜き取られ、移動装置（４０）が、それぞれの案内及び／又は保持手段（７）をプラスチック製品（１）に出し入れするために用いられ、かつ、それぞれの案内及び／又は保持手段（７）を反対の進行方向で軸方向に進め、少なくとも１つの別の移動装置がそれぞれの案内及び／又は保持手段（７）を回転運動させるために設けられている。
2021511983.tif 000002
【特許請求の範囲】
【請求項１】
少なくとも１つの案内及び／又は保持手段（７）を有する、プラスチック製品（１）を取り外すための装置であって、
少なくとも１つの別の製造ステップのために成形後にプラスチック製品（１）を引き取り若しくは続いて解放するために、プラスチック成形プロセスにおいて、前記案内及び／又は保持手段（７）がプラスチック製品（１）に差し込まれ及びプラスチック製品（１）から再び抜き取られ、
移動装置（４０）が、それぞれの案内及び／又は保持手段（７）をプラスチック製品（１）に出し入れするために用いられ、かつ、それぞれの案内及び／又は保持手段（７）を反対の進行方向で軸方向に移動させる装置において、
少なくとも１つの別の移動装置（３５）が前記案内及び／又は保持手段（７）を回転運動させるために設けられている、ことを特徴とする装置。
【請求項２】
前記案内及び保持手段は、少なくとも１つのロッド体（７）を有しており、該ロッド体（７）は、その一方の自由端に一種のドリルヘッド（９）を備え、他方の自由端の領域には別の移動装置（３５）の一部であるピニオンドライブ（３１）に対するピニオン（１３）とピボット軸受（２３）とを有する、ことを特徴とする請求項１に記載の装置。
【請求項３】
複数のロッド体（７）が設けられ、該複数のロッド体（７）の複数のピボット軸受（２３）は常に対をなして回転受け部（２５）内に案内され、複数のピニオン（１３）は前記回転受け部（２５）の内部で互いに設定可能な軸方向間隔を有し、該軸方向間隔は好ましくは少なくともピニオン（１３）の高さに対応する、ことを特徴とする請求項１又は２に記載の装置。
【請求項４】
回転受け部（２５）は一方の移動装置の一部として支持体（２９）に配置され、前記移動装置は駆動装置（４０）によって互いに平行に配置されたロッド体（７）を軸方向の移動方向で梁状の降ろし台（３８）の下方に進み、前記降ろし台（３８）は、前記プラスチック製品（１）を割り当て可能なロッド体（７）から分離する目的で、該ロッド体（７）が貫通してその上面に前記プラスチック製品（１）を降ろすことを可能にする、ことを特徴とする請求項１〜３の何れれか一項に記載の装置。
【請求項５】
互いに上下に配置された２つのラック（３１）がロッド体（７）の個々のピニオン（１３）に対するピニオンドライブとして用いられ、前記ラック（３１）は別の移動装置（３５）の一部を形成し、一方のラック（３１）はそれぞれ１つのロッド体（７）のピニオンを作動させ、他方のラック（３１）はそれぞれ別のロッド体（７）のピニオン（１３）を作動させ、これらのロッド体（７）は１対にまとめられて支持体（２９）のそれぞれ付属の回転受け部（２５）に受容されている、ことを特徴とする請求項１〜４の何れか一項に記載の装置。
【請求項６】
両ラック（３１）は、別の駆動装置（３５）によって支持体（２９）に沿って移動可能に案内されているキャリッジ（３３）上に配置されている、ことを特徴とする請求項１〜５の何れか一項に記載の装置。
【請求項７】
使用される駆動装置は、リニアドライブ、特に電動スピンドルドライブ（３５、４０）から構成されている、ことを特徴とする請求項１〜６の何れか一項に記載の装置。
【請求項８】
個々のロッド体（７）のドリルヘッド（９）は管用ねじ（４１）を有するドリル先端部から形成されている、ことを特徴とする請求項１〜７の何れか一項に記載の装置。
【請求項９】
本装置は個々のプラスチック製品（１）を製造するブロー・充填・密封機械の交換可能な構成要素である、ことを特徴とする請求項１〜８の何れか一項に記載の装置。
【請求項１０】
個々のプラスチック製品（１）は充填された容器体の外部の基部側に箱状の張り出し部（３）を有し、プラスチック材料がまだ柔らかい状態でロッド体（７）が個々のドリルヘッド（９）で突くように前記張り出し部（３）内に進入し、
前記プラスチック製品（１）を降ろし台（３８）の上に降ろすと同時に又は降ろした後、前記ロッド体（７）が回転しながら前記張り出し部（３）のプラスチック材料から抜き取られる、ことを特徴とする請求項１〜９の何れか一項に記載の装置。
【発明の詳細な説明】
【技術分野】
【０００１】
本発明は、少なくとも１つの案内及び／又は保持手段を有する、容器などのプラスチック製品を取り外し若しくは脱型するための装置であって、少なくとも１つの別の製造ステップのために、成形後にプラスチック製品を引き取り若しくは続いて解放するために、プラスチック成形プロセスにおいて、案内及び／又は保持手段が少なくとも１つのプラスチック製品に差し込まれ及びプラスチック製品から再び抜き取られ、移動装置がそれぞれの案内及び／又は保持手段をそれぞれのプラスチック製品に差し込み若しくはプラスチック製品から抜き取るために用いられ、かつ、それぞれの案内及び／又は保持手段を反対の進行方向で軸方向に移動させる装置に関する。
【背景技術】
【０００２】
プラスチック製品がプラスチック成形プロセスによって工業的に大量に生産される場合、製造プロセス内でのプラスチック製品の機械的操作は、合理的で経済的な実施を助長する重要なプロセスステップをなす。これに関しては特許文献１に開示されているように、公知のボッテルパック・システムに従って作業するプロセスの一環として冒頭に記載した種類の装置を用いることは先行技術であり、このプロセスでは可塑化したプラスチック材料から自動成形（ブロー成形又は真空成形）、充填及び密封により容器が経済的に製造される。上記文書の右欄６１行以下に記載されているように、案内及び保持手段としてピンが設けられており、これらのピンは移動装置によって製造されたアンプルブロックの廃棄縁部に形成された止まり穴状の凹部と係合して、それぞれのアンプルブロックを引き取り、続いて再び解放する。
【先行技術文献】
【特許文献】
【０００３】
【特許文献１】独国特許発明第３８３１９５７（Ｃ１）号明細書
【発明の概要】
【発明が解決しようとする課題】
【０００４】
本発明の課題は、この先行技術から出発して、上記の公知の装置の利点を維持しながら、プラスチック製品の製造プロセスの特に迅速かつ確実なシーケンスを可能にする装置を提供することである。
【課題を解決するための手段】
【０００５】
本発明によれば上記の課題は、請求項１の特徴をその全体において有する装置によって解決される。
【０００６】
請求項１の特徴部によれば、本発明の本質的特徴は、それぞれの案内及び／又は保持手段を回転運動させる少なくとも１つの別の移動装置が設けられることである。機械的操作のために案内及び保持手段をそれぞれのプラスチック製品と係合させたり係合から外したりする移動装置に加えて、案内及び保持手段を回転できることにより、取り外し若しくは脱型のプロセス、即ちプラスチック製品を解放する進行方向に案内及び保持手段を移動することは、プラスチック成形プロセスの過程で加熱されたプラスチック製品が完全に冷却する前に既に実施することができる。別の移動装置によって形成される回転運動は、プラスチック製品がまだ部分的に可塑化した状態にあってまだ完全に硬化していない場合でも、案内及び保持手段の後退する進行運動中に付着効果又は変形効果を防止する。それによりプラスチック製品をより迅速に解放することは、プラスチック成形プロセスがより短いサイクル時間で実施することを可能にし、その結果として本発明による装置はプラスチック成形プロセスを特に迅速かつ経済的に実施することを可能にする。
【０００７】
以下でアンプルが言及される場合、この用語は一般に容器、特にブロー成形（blow-molding）・充填（filling）・密封（sealing）プロセス（ＢＦＳプロセス）によって製造される容器を含む。
【０００８】
有利な実施形態では、案内及び保持手段は、少なくとも１つのロッド体を有しており、ロッド体はその一方の自由端には一種のドリルヘッドを備え、他方の自由端の領域には別の移動装置の一部であるピニオンドライブに対するピニオンとピボット軸受とを備えている。これらの実施形態は、上述したブロー・充填・密封プロセス（ＢＦＳプロセス）によって形成され、上記特許文献１の図１に示すように、廃棄縁部にピンが突入係合するための止まり穴のような凹部を有するアンプルブロックの機械的操作において有利に使用することができる。本発明による装置を使用すると、ピンは解放する進行運動中にピニオンドライブによって回転されるロッド体のドリル先端部により形成される。
【０００９】
この種類の実施形態では、複数のロッド体が設けられており、ロッド体はそれらのピボット軸受によって常に対をなして回転受け部内に案内されていて、それらのピニオンは回転受け部の内部で互いに設定可能な、好ましくは少なくともピニオンの全高に対応する軸方向間隔を有する。ピニオンが軸方向にずらして配置されていることにより、ロッド体の対をピニオンの直径よりも小さい軸方向間隔でピボット軸受内に配置する有利な可能性が開かれて、有利にはロッド体を互いにより密に連続して配置できる。
【００１０】
有利には、回転受け部は一方の移動装置の一部として支持体に配置されており、この移動装置は駆動装置によって互いに平行に配置されたロッド体を軸方向の移動方向で梁状の降ろし台の下方に進み、降ろし台はプラスチック製品を割り当て可能なロッド体から分離する目的で、ロッド体が貫通してその上面にプラスチック製品を降ろすことを可能にするように配置構成できる。
【００１１】
ピニオンを軸方向にずらした配置構成において、ロッド体の個々のピニオンに対するピニオンドライブとして互いに上下に配置された２つのラックを用いることができ、これらのラックは別の移動装置の一部を形成し、一方のラックはその都度１つのロッド体のピニオンを作動させ、他方のラックはその都度別のロッド体のピニオンを作動させ、これらのロッド体は１対にまとめられて支持体のその都度関連する回転受け部に受容されている。
【００１２】
両ラックは、別の駆動装置によって支持体に沿って移動可能に案内されているキャリッジ上に配置できる。
【００１３】
有利には、使用される両駆動装置、即ちロッド体の垂直進行運動のための駆動装置と、ラックを備えたキャリッジの水平駆動装置は、線形駆動装置、特に電動スピンドルドライブから形成することができる。
【００１４】
それぞれのロッド体のドリルヘッドは、管用ねじを付けたドリル先端部から形成することができる。ねじ山のピッチを適切に選択すると、プラスチック製品のそれぞれの止まり穴内の回転運動において軸力成分を発生させることができ、これがねじ戻しの方式で解放する進行運動を助長する。
【００１５】
特に有利には、本装置は、それぞれのプラスチック製品が製造されるブロー・充填・密封機の交換可能な構成要素である。
【００１６】
冒頭に記載した文書に示されているように、それぞれのプラスチック製品は、充填された容器体の外部の基部側に箱状の張り出し部を廃棄縁部として有しており、プラスチック材料がまだ柔らかい状態でロッド体がそれぞれのドリルヘッドで突くように張り出し部内に進入し、それぞれのプラスチック製品を降ろし台の上に降ろすと同時に又は降ろした後でロッド体が回転しながら張り出し部のプラスチック材料から抜き取られる。
【００１７】
以下に本発明を図面に示した実施形態に基づいて詳細に説明する。
【図面の簡単な説明】
【００１８】
【図１】図１は本発明による装置の実施形態の破断正面図であり、第１の動作状態が示されている。
【図１ａ】図１ａは、図１でＩによって示された領域の拡大部分図である。
【図２】図２は図１に対応する正面図であり、第２の動作状態が示されている。
【図２ａ】図２ａは、図２でＩＩによって示された領域の拡大部分図である。
【図３】図３は図１に対応する正面図であり、第３の動作状態が示されている。
【図３ａ】図３ａは、図３でＩＩＩによって示された領域の拡大部分図である。
【図４】図４は実施形態の対応する正面図であり、第３の動作状態が示されている。
【図４ａ】図４ａは、図４でＩＶによって示された領域の拡大部分図である。
【図５】図５は正面から見た装置の実施形態の装置部分の一部を分解して示した破断斜視図である。
【図６】図６は背面から見た装置の実施形態の一部を図５の縮尺で分解して示した斜視図である。
【図７】図７は図５及び図６をさらに拡大して概略化した実施形態の部分側面図である。
【発明を実施するための形態】
【００１９】
本発明を、添付の図面を参照して、プラスチック成形プロセスの過程で製造されたプラスチック製品を機械的に操作するために提供される実施形態に基づいて説明する。より正確に言えば、この実施形態は、ＢＦＳプロセスで製造されたアンプルブロックを案内及び保持手段の係合によって成形型から離し、次に係合している案内及び保持手段を取り外すことによってプラスチック製品を再び解放することを目的とする。アンプルブロックは、図面では図１に１つだけ見えており１で表されているが、これらは例えば上記の独国特許発明第３８３１９５７（Ｃ１）号明細書に開示されている公知の製品形態に対応する。同出願の図１に示されているように、これらのアンプルブロックは充填された容器体の列の外の基部側に箱状の張り出し部を有している。この張り出し部は廃棄縁部を形成し、それに止まり穴のような凹部が列状に配設されており、これらと案内及び保持手段のピン状係合部が移送工程のために係合する。図１ａ、図２ａ、図３ａ及び図４ａでは、アンプルブロック１のうちその都度張り出し部を形成する廃棄縁部を３で表し、その中にある止まり穴状の凹部を５で表す。
【００２０】
案内及び保持手段は、図面で部分的にのみ番号が付けられて直列に配置されたロッド体７を有しており、ロッド体７の数は止まり穴５の数に対応している。各ロッド体７は止まり穴５にピン状に係合するための係合部として、その自由端にドリルヘッド９を有する。ドリルヘッド９の反対側の下端部分で、ロッド体７はシャフト部１１とその上に固定されたそれぞれ１つのピニオン１３を有する（図５〜図７参照）。ロッド体７はドリルヘッド９とシャフト部１１の間に細長い接続管１５（図７参照）を有する。図５及び図７では、接続管１５の下端部は１７で表されている。下端部１７をそれぞれのシャフト部１１と接続するために、接続管１５はそれらの端部部分に平坦部２１を有しており、これにより図７に示すように接続管１５の管端部１７が接合されている。同様に接続管１５の上管端部は、ドリルヘッド９と接続するために、図５及び図６に示すようにドリルヘッド９の下端部に形成された平坦部１９で接合されている。
【００２１】
ピニオン１３を備えたシャフト部１１は、それぞれ対をなしてピボット軸受２３によってブロック状の回転受け部２５に支持されている。これら回転受け部２５は押さえ板２７によって支持体２９に固持されている。図５及び図６に最も明確に示されていように、ピニオン１３は回転受け部２５内にある各ピニオン対で互いにピニオン１３の軸方向高さよりやや大きい軸方向間隔で配置されている。これによりシャフト部１１の、したがってロッド体７の軸は、互いにピニオン直径よりも小さい間隔で配置できる。ロッド体７の回転駆動のためのピニオンドライブとして、１対のラック３１が設けられており、これらのラック３１はキャリッジ３３に上下に取り付けられており、本実施形態では電動スピンドルドライブ３５（図６）の形式のリニアドライブによってピニオン１３の列に沿って摺動可能である。
【００２２】
図１〜図４に、そして図１に最も明確に示すように、本装置は、底部側の基礎構造３７から出発して上方に延び、上部領域で水平降ろし台３８のための支持体を形成しているフレーム３６を有する。図１〜図４を比較して見ると、支持体２９、ピニオンドライブ３１、回転受け部２５及びロッド体７から形成されたロッドユニット３９全体が、フレーム３６上で両進行方向に垂直に移動でき、ロッド体７は図１に示された完全に上昇した位置で降ろし台３８を貫通している。この移動装置は本明細書では第１の移動装置と呼ばれ、ロッド体７の回転を生み出すピニオンドライブ３１は第２の移動装置と呼ばれているが、両移動装置のための駆動装置としてリニアドライブは設けられている。この場合において、スピンドルドライブ４０は電気モータによって動作する（図１）。
【００２３】
図１は、本装置の作動サイクルのうち、ロッド体７が上端位置に進んだ動作状態を示しており、この位置（図１ａ参照）ではロッド体７はそれらのドリルヘッド９でその都度移送されるべき各アンプルブロック１の止まり穴５内に差し込まれている。これについては見やすさのために、図１にのみ単一のアンプルブロック１が概略的に示されている。この動作状態では、それぞれのドリルヘッド９がその管用ねじ４１によって形成された先端部で、成形プロセスによってまだ加熱されていて部分的に可塑化した状態にあるアンプルブロック１の止まり穴５と係合している。
【００２４】
図２は、次の作業工程の動作状態を示しており、ロッド体７はそれぞれのアンプルブロック１と共に、当該アンプルブロック１が降ろし台３８上に載るまで下方に進んでいるが、図２ａに示されるように、管用ねじ４１を有するドリルヘッド９はまだ止まり穴５と係合している。次に図３に示すように、ロッド体７は、止まり穴５から延びるドリルヘッド９の管用ねじ４１によりねじ戻し動作の方式で回転しながら（図３ａ参照）、さらに下方に移動する。
【００２５】
表現を単純にするために図１とは対照的に図２、図３及び図４ではアンプルブロック１は省略されているが、図２ａ、図３ａ及び図４ａは、このブロック１の容器又はアンプルの下側について、案内及び保持手段７とアンプルブロック１の間のそれぞれの関連する係合状態を示している。
【００２６】
最後に図４は、ロッド体７が完全に下方に進み、アンプルブロック１が降ろし台３８の上で完全に解放された最終状態を示している。端部側に管用ねじ４１を有するドリルヘッド９が差し込まれた位置でまだ暖かいプラスチック材料に囲まれているように構成することにより、回転運動と組み合わせて、案内及び保持手段を形成するロッド体７をアンプルブロック１との係合から支障なく取り外すことが可能になる。
【図１】
2021511983.tif 000003
【図１ａ】
2021511983.tif 000004
【図２】
2021511983.tif 000005
【図２ａ】
2021511983.tif 000006
【図３】
2021511983.tif 000007
【図３ａ】
2021511983.tif 000008
【図４】
2021511983.tif 000009
【図４ａ】
2021511983.tif 000010
【図５】
2021511983.tif 000011
【図６】
2021511983.tif 000012
【図７】
2021511983.tif 000013
【国際調査報告】
2021511983.tif 000014
2021511983.tif 000015
2021511983.tif 000016
2021511983.tif 000017